(57)【要約】【課題】異なる方向の面に取り付け可能でありながら支持部材の意匠性を向上させることが可能なブラインドを提供する。【解決手段】ブラインドは、遮蔽材と支持部材とを有する。支持部材は、遮蔽材を開閉可能に支持し、所定面に取付けられる。支持部材は、開口部を有し所定面に取付けられる支持部材本体と、開口部を覆うカバーと、支持部材本体と所定面との間に介挿されるブラケットとを有する。支持部材本体は、ブラケットを係止する係止部が形成され所定面に対向する取付面を有し、取付面が第１の方向を向く第１の状態と、取付面が第１の方向とは異なる第２の方向を向く第２の状態とに切り替えて取付け可能であり、第１の状態でカバーと連結する第１連結部と、第２の状態でカバーと連結する第２連結部とを有する。【選択図】図５
2018123515.tif 000002
【特許請求の範囲】
【請求項１】
遮蔽材と、
前記遮蔽材を開閉可能に支持し、所定面に取付けられる支持部材と
を具備し、
前記支持部材は、開口部を有し前記所定面に取付けられる支持部材本体と、前記開口部を覆うカバーと、前記支持部材本体と前記所定面との間に介挿されるブラケットとを有し、
前記支持部材本体は、前記ブラケットを係止する係止部が形成され前記所定面に対向する取付面を有し、当該取付面が第１の方向を向く第１の状態と、当該取付面が前記第１の方向とは異なる第２の方向を向く第２の状態とに切り替えて前記所定面に取付け可能であり、前記第１の状態で前記カバーと連結する第１連結部と、前記第２の状態で前記カバーと連結する第２連結部とを有する
ブラインド。
【請求項２】
請求項１に記載のブラインドであって、
前記支持部材本体は、当該支持部材本体の長手方向に亘って前記取付面から突出するように設けられ、前記支持部材が前記第１の状態及び前記第２の状態で前記所定面に取付けられた場合に、当該支持部材本体と前記所定面との間に前記ブラケットの介在によって生じる隙間を塞ぐことが可能な隙間防止材を有する
ブラインド。
【請求項３】
請求項１または２に記載のブラインドであって、
前記第１連結部は、前記第１の状態において、所定位置に位置するように設けられ、
前記第２連結部は、前記第２の状態において、前記所定位置に位置するように設けられる
ブラインド。
【発明の詳細な説明】
【技術分野】
【０００１】
本発明は、ブラインドに関する。
【背景技術】
【０００２】
従来から、ブラインドには、遮蔽材を開閉可能に支持する支持部材（ヘッドボックス）が備えられている。下記特許文献１には、水平板部と垂直板部とを有するＬ字形の支持具（ブラケット）と、ロールブラインドのブラケットが固定されるセットバー（上記ヘッドボックスに相当）とからなるロールブラインド取付装置において、水平板部あるいは垂直板部のいずれか一方又は双方を窓枠、壁面、天井等にネジによって固定し、垂直板部に形成した両側部Ｕ字形部と、垂直板部に回動可能に支持されるカムレバーの支持カムＵ字形部との間で、ロールブラインド本体を保持したセットバーの上下縁を把持し、セットバーは支持具に着脱自在に支持されることが開示されている。
【０００３】
この構成においては、支持具の水平板部と垂直板部のいずれか一方または双方を用いることで、セットバーを窓枠、壁面、天井等の異なる方向の面に取り付けることが可能となっている。
【先行技術文献】
【特許文献】
【０００４】
【特許文献１】実公平１−４５３４７号公報
【発明の概要】
【発明が解決しようとする課題】
【０００５】
しかしながら、上記特許文献１に開示の技術では、上記支持具本体はＬ字形状であるため、窓枠、壁面、天井等の固定面の状況によっては、セットバーに沿って配される水平板部あるいは垂直板部が表面に露出してしまうため、見栄えがよくないという意匠上の課題があった。
【０００６】
以上のような事情に鑑み、本発明の目的は、異なる方向の面に取り付け可能でありながら支持部材の意匠性を向上させることが可能なブラインドを提供することにある。
【課題を解決するための手段】
【０００７】
上記目的を達成するため、本発明の一形態に係るブラインドは、遮蔽材と支持部材とを有する。上記支持部材は、上記遮蔽材を開閉可能に支持し、所定面に取付けられる。上記支持部材は、開口部を有し上記所定面に取付けられる支持部材本体と、上記開口部を覆うカバーと、上記支持部材本体と上記所定面との間に介挿されるブラケットとを有する。上記支持部材本体は、上記ブラケットを係止する係止部が形成され上記所定面に対向する取付面を有し、当該取付面が第１の方向を向く第１の状態と、当該取付面が上記第１の方向とは異なる第２の方向を向く第２の状態とに切り替えて取付け可能であり、上記第１の状態で上記カバーと連結する第１連結部と、上記第２の状態で上記カバーと連結する第２連結部とを有する。
【０００８】
この構成によれば、支持部材本体の向きを第１の状態と第２の状態とで切り替えて取付けることが可能であるとともに、ブラケットが取付けられる取付面は、常に設置対象の所定面に対向する状態となるため、ブラケットがユーザから視認可能な面に露出せずにブラインドとしての意匠性が向上する。特に、ホテルの部屋等、細部に亘る意匠性が重要視される設置場所において有効である。また取付面以外の面にはブラケットを係止するための係止片が不要となるため、支持部材本体の型材としての意匠性も向上するとともに、構造がより簡素化され、製造コストも低減する。ここで、第１の状態は例えば天井付け状態であり、第２の状態は例えば正面付け状態であるが、これらに限られない。
【０００９】
上記支持部材本体は、当該支持部材本体の長手方向に亘って上記取付面から突出するように設けられ、上記支持部材が上記第１の状態及び上記第２の状態で上記所定面に取付けられた場合に、当該支持部材本体と上記所定面との間に上記ブラケットの介在によって生じる隙間を塞ぐことが可能な隙間防止材を有する
【００１０】
これにより、支持部材本体を第１の状態と第２の状態のいずれの向きに設置しても、設置対象の所定面と取付面との間に生じる隙間を支持部材の全長に亘って塞ぐことができるため、そこから光が漏れるのを防ぐことができる。ここで隙間防止材は、例えばモヘヤ等の毛素材や弾性体等によって形成されるが、これらに限られない。
【００１１】
上記第１連結部は、上記第１の状態において、所定位置に位置するように設けられ、
上記第２連結部は、上記第２の状態において、上記所定位置に位置するように設けられる
【００１２】
これにより、支持部材本体を第１の状態と第２状態のいずれの向きに設置しても、カバーを取り付けるための第１連結部と第２連結部が同じ位置に位置するため、設置者は両連結部の位置を容易に認識してカバーを取り付けることができる。
【発明の効果】
【００１３】
以上説明したように、本発明によれば、異なる方向の面に取り付け可能でありながら支持部材の意匠性を向上させることが可能なブラインドを提供することができる。しかし、当該効果は本発明を限定するものではない。
【図面の簡単な説明】
【００１４】
【図１】本発明の一実施形態に係るロールスクリーンの正面図である。
【図２】図１のＡ−Ａ断面図である。
【図３】上記ロールスクリーンが有する支持部材の、天井付け状態における斜視図である。
【図４】上記ロールスクリーンが有する支持部材の、正面付け状態における斜視図である。
【図５】上記支持部材の側面方向の断面図である。
【図６】図５に示した支持部材のうち支持部材本体及びカバーのみを示した図である。
【図７】上記支持部材の天井付け状態と正面付け状態との切替え手順を示した図である。
【発明を実施するための形態】
【００１５】
以下、図面を参照しながら、本発明の実施形態を説明する。
【００１６】
［ロールスクリーンの構成］
図１は、本実施形態に係るブラインドとしてのロールスクリーンの正面図である。また図２は、図１のＡ−Ａ断面図である。
【００１７】
両図に示すように、本実施形態に係るロールスクリーン１００は、支持部材（ヘッドボックス）１と、スクリーン２と、巻取パイプ３と、操作ユニット４とを有する。
【００１８】
両図に示すように、支持部材１は、巻取パイプ３を回転可能に支持する。図２に示すように、支持部材１は、横長直方体形状の支持部材本体１１と、当該支持部材本体１１の正面前方側に形成された開口部を覆うカバー１２とを有する。当該支持部材本体１１が、ブラケット１３を介して建物内部の窓枠の天井面や壁面等の所定面にネジ等により固定されることで、ロールスクリーン１００が設置される。
【００１９】
巻取パイプ３は、支持部材１の内部に配置され、当該支持部材１の両側面に設けられたサイドプレートによって両端を回転可能に支持される。
【００２０】
スクリーン２は、遮蔽材として機能し、巻取パイプ３にその一端が連結され、巻取パイプ３に巻取り及び巻解き可能に吊り下げられている。すなわち、巻取パイプ３を内蔵する支持部材１は、スクリーン２を昇降（開閉）可能に支持している。
【００２１】
スクリーン２の下端には、ボトムレール５が取り付けられている。図２に示すように、スクリーン２の下端は、当該ボトムレール５の内部で固定されているが、当該下端がウエイトバー５を周回して縫製されていてもよい。
【００２２】
ボトムレール５の両端部は、組立時に上記スクリーン２を挿入可能とするために開口しており、当該開口がボトムレールキャップ５ａによって覆われている。また、ボトムレール５の底部には凹部が形成されており、当該凹部には、ボトムレール５（スクリーン２）が床面Ｆ近傍まで下降した場合に床面Ｆとボトムレール５との間の隙間を塞ぎ、建物内部への光漏れを防ぐためのボトムレール緩衝材（例えば弾性体等）５ｂが、Ｘ方向に亘って設けられている。
【００２３】
スクリーン２の水平方向（各図Ｘ方向）の両端部には、スクリーン２の昇降時にスクリーン２を案内するガイドレール６が設けられている。図２に示すように、ガイドレール６の内側には、同図Ｙ方向に亘って、スクリーン２を案内するガイド溝が設けられており、当該ガイド溝には、スクリーン２をその垂直方向（同図Ｚ方向）から挟み込むように、隙間防止材１６が設けられている。当該隙間防止材１６は、ガイドレール６の上記ガイド溝を塞ぎ、当該ガイド溝から建物内部へ光が漏れるのを防止する。
【００２４】
操作ユニット４は、例えばボールチェーンで構成されており、ユーザの昇降操作に応じて上記スクリーンを昇降させる。操作ユニット４は、例えば、２本のチェーンの上端がそれぞれ巻取パイプ３と連結され、下端同士がチェーンコネクタ４１で連結された構造とされている。ユーザが、当該２本のチェーンのうち、正面から見て奥側のチェーンを下方へ引くとスクリーン２が下降し、手前側のチェーンを下方へ引くとスクリーン２が上昇する。
【００２５】
［支持部材の構成］
本実施形態に係るロールスクリーン１００の支持部材１は、天井面（水平面）と壁面（垂直面）の両方に取り付け可能である。以下の説明では、天井面への取付けを天井付けと称し、壁面への取付けを正面付けと称する。上記図１及び図２は、支持部材１が天井面Ｃへ天井付けされた状態を示している。ここで天井面Ｃとは、必ずしも部屋の内部の最上面のみを指すものではなく、例えば図２に示すように、部屋の壁面から屋外方向へセットバックされて設けられた出窓部分の最上面を指す場合もある。同様に、床面Ｆも、部屋の内部の最下面のみならず、上記出窓部分の最下面を指す場合もある。
【００２６】
図３は、上記支持部材１の天井付け状態における斜視図であり、図４は、上記支持部材１の正面付け状態における斜視図である。図４のうち、図４Ａは正面側上方からの斜視図であり、図４Ｂは背面側下方からの斜視図である。また図５は、上記支持部材１の側面方向の断面図であり、同図Ａが天井付け状態、同図Ｂが正面付け状態を示す。また図６は、図５に示した支持部材１のうち支持部材本体１１及びカバー１２のみを示した図である。
【００２７】
これらの図に示すように、支持部材本体１１は、支持部材１が設置される所定面（天井面Ｃまたは壁面Ｗ）に対向する取付面１１ａを有する。当該取付面１１ａには、上記ブラケット１３を係止する係止部１１ｂが形成される。
【００２８】
そして、支持部材本体１１は、図１〜図３、図５Ａ、図６Ａに示すように、上記取付面１１ａが第１の方向（垂直方向；Ｙ方向）を向く第１の状態（天井付け状態）と、図４、図５Ｂ、図６Ｂに示すように、上記取付面１１ａが第２の方向（水平方向；Ｚ方向）を向く第２の状態（正面付け状態）とに切り替えて取付け可能である。
【００２９】
また、図２、図５及び図６に示すように、支持部材本体１１は、上記天井付け状態においてカバー１２と連結する第１連結部２１と、上記正面付け状態においてカバー１２と連結する第２連結部２２とを有する。第１連結部２１及び第２連結部２２は、例えば側面方向の断面が円弧形状の係止溝とされ、カバー１２は、その上端部に、当該形状に合致する断面円弧形状の係止爪１２ａを有する。しかし、各連結部の形状はこれらに限られず、また第１連結部２１及び第２連結部２２が係止爪として構成され、カバー１２がそれに係合する係止溝を有していてもよい。
【００３０】
図５Ａ及び図６Ａに示すように、上記第１連結部２１は、上記天井付け状態において支持部材本体１１の開口上端部に位置するように設けられる。この天井付け状態においては、第２連結部２２は支持部材本体１１の開口下端部に位置するが、カバー１２との連結には第１連結部２１のみが使用される。
【００３１】
一方、図５Ｂ及び図６Ｂに示すように、上記第２連結部２２は、上記正面付け状態において支持部材本体１１の開口上端部に位置するように設けられる。この正面付け状態においては、第１連結部２１は支持部材本体１１の開口下端部に位置するが、カバー１２との連結には第２連結部２２のみが使用される。
【００３２】
すなわち、上記第１連結部２１及び第２連結部２２は、支持部材本体１１を天井付け状態と正面付け状態のいずれの向きに設置しても同じ位置（支持部材本体１１の開口上端部）に位置するため、設置作業者は両連結部の位置を容易に認識してカバー１２を取り付けることができる。
【００３３】
また、図２及び図５に示すように、支持部材本体１１の取付面１１ａの、第１連結部２１とは反対側の位置には、当該取付面１１ａから突出するように、取付面１１ａの全長（Ｘ方向）に亘って、隙間防止材１４が設けられる。ブラケット１３が取付面１１ａの第１連結部２１寄りの位置に取付けられることで、当該隙間防止材１４は、取付面１１ａにおいて、ブラケット１３と干渉しない位置に設けることができる。当該隙間防止材１４は、支持部材１が上記天井付け状態で天井面Ｃに取付けられ、または正面付け状態で壁面Ｗに取り付けられた場合に、天井面Ｃまたは壁面Ｗに押し付けられることで、支持部材本体１１と天井面Ｃまたは壁面Ｗとの間に上記ブラケット１３の介在によって生じる隙間を塞ぐことが可能である。これにより、支持部材１を天井付け状態と正面付け状態のいずれの向きに設置しても、上記隙間から部屋の内部に光が漏れるのを防止することができる。
【００３４】
当該隙間防止材１４は、取付面１１ａに着脱自在に構成され、例えば取付面１１ａの端部に設けられた断面Ｔ字状の係合溝に係合されることで設置されるが、設置態様はこれに限られない。また隙間防止材１４は例えばモヘヤ等の毛素材や弾性体等によって形成されるが、これらに限られない。
【００３５】
また、支持部材本体１１の内面には、当該内面から支持部材１の内部方向へ突出するように、上記隙間防止材１４と同様の隙間防止材１５が設けられる。
【００３６】
当該隙間防止材１５は、図２に示すように、上記カバー１２が支持部材本体１１に取付けられた状態でスクリーン２に押し付けられ、スクリーン２と支持部材本体１１との間に生じる隙間を塞ぐことが可能であり、支持部材１の内部に流入した光が当該隙間から部屋の内部に漏れるのを防ぐことができる。
【００３７】
当該隙間防止材１５も着脱自在に構成されており、図５Ａに示すように、天井付け状態においては第２連結部２２の近傍に設けられるが、同図Ｂに示すように、正面付け状態においては第１連結部２１の近傍に設けられる。
【００３８】
図７は、上記支持部材１の天井付け状態と正面付け状態との切替え手順を示した図である。同図Ａは天井付け状態の設置手順を示しており、同図Ｂは天井付け状態から正面付け状態に切り替える手順を示している。各図において、支持部材１のうち支持部材本体１１とカバー１２のみが示されている。
【００３９】
支持部材１を天井付け状態で設置する場合、天井面Ｃにブラケット１３をねじ止め等によって取り付けた上で、同図Ａ１に示すように、支持部材本体１１を、取付面１１ａが天井面Ｃと対向する向きに準備し、上記ブラケット１３と支持部材本体１１とを、上記係止部１１ｂによって連結する。その後、同図Ａ２に示すように、カバー１２を、支持部材本体１１の第１連結部２１に係止爪１２ａを係合させることで取り付ける。
【００４０】
この天井付け状態から、支持部材１を正面付け状態に切り替える場合、支持部材本体１１をブラケット１３から取り外し、天井面Ｃからブラケット１３を取り外し、さらに支持部材本体１１からカバー１２を取外した上で、同図Ｂ１に示すように、支持部材本体１１を、同図矢印Ｌに示すように、垂直方向（Ｙ方向）の軸を中心に回転させる（左右反転させる）。これにより支持部材本体１１は同図Ｂ２に示すような状態となる。
【００４１】
続いて、当該同図Ｂ２の状態から、支持部材本体１１を、水平方向（Ｘ方向）の軸を中心に、同図矢印Ｍで示す方向に９０°回転させる。これにより支持部材本体１１は同図Ｂ３に示すような、取付面１１ａが壁面Ｗに対向した状態となる。
【００４２】
続いて、この状態から、壁面１１ａにブラケット１３をねじ止め等により取り付け、当該ブラケット１３と支持部材本体１１とを、上記係止部１１ｂによって連結する。その後、同図Ｂ４に示すように、カバー１２を、支持部材本体１１の第２連結部２２に係止爪１２ａを係合させることで取り付ける。
【００４３】
以上の動作により、支持部材１の天井付け状態と正面付け状態の切り替えが可能となる。
【００４４】
［まとめ］
以上説明したように、本実施形態によれば、支持部材本体１１を、取付面１１ａの向きを天井付け状態と正面付け状態とで切り替えて取付けることが可能であるとともに、ブラケット１３が取付けられる取付面１１ａは、常に設置対象の所定面（天井面Ｃまたは壁面Ｗ）に対向する状態となるため、ブラケット１３が、ユーザから視認可能な面に露出せずに、ブラインドとしての意匠性が向上する。この効果は、特に、ホテルの部屋等、細部に亘る意匠性が重要視される設置場所において有効である。
【００４５】
また、支持部材本体１１の取付面１１ａ以外の面には、ブラケット１３を係止するための係止片が不要となる。したがって、天井付け状態においては、支持部材１の背面側から（例えば建物の外部から窓を見た場合に）係止片等の煩雑な部材が見えてしまうこともなく、正面付け状態においても、正面視において支持部材１の上部から係止片等の煩雑な部材が見えてしまうこともないため、支持部材本体１が全体としてフラットな状態となることで、その型材としての意匠性が向上するとともに、構造がより簡素化され、製造コストも低減する。
【００４６】
さらに、上記特許文献１に記載の技術のように、上記天井付け及び正面付けの双方に対応するために、Ｌ字型のブラケットを採用した場合には、ブラケットの両面への設置面積を確保する必要があり、結果的に支持部材１全体の体積（収まり寸法）が大きくなってしまうが、本実施形態では、ブラケット１３が上記取付面１１ａのみに取付けられるため、支持部材１全体の収まり寸法もコンパクトに抑えることができる。また、上記Ｌ字型のブラケットは、支持部材１の取付面１１ａを含む２つの面に跨るように取付けられることで、隙間防止部材と干渉してしまい、干渉した箇所において光漏れを発生させてしまうが、本実施形態では、ブラケット１３が上記取付面１１ａのみに取付けられるため、隙間防止部材１４をブラケット１３と干渉しない位置に設けることができ、上記取付面１１ａからの光漏れを防止できる。
【００４７】
［変形例］
本発明は上述の実施形態にのみ限定されるものではなく、本技術の要旨を逸脱しない範囲内において種々変更され得る。
【００４８】
上述の実施形態では、第１連結部２１及び第２連結部２２は、支持部材本体１１の天井付け状態及び正面付け状態において、支持部材本体１１の開口上端部に位置するように設けられていたが、天井付け状態及び正面付け状態において、例えば支持部材本体１１の開口下端部等の他の位置に位置するように設けられていてもよい。
【００４９】
上述の実施形態では、支持部材１の天井付け状態と正面付け状態との切替えは、図７で示したように支持部材本体１を矢印Ｌ及びＭに示すように回転させることで実現されたが、当該切替えはこのような態様に限られず、取付面１１ａの方向を天井付けと正面付けとで変更しても支持部材本体１１にカバー１２が取り付け可能な態様であれば、いかなる態様であっても構わない。
【００５０】
上述の実施形態において図示した支持部材本体１１の開口形状や取付面１１ｂの形状及び係止部１１ａの構造等は、一例に過ぎず、他のあらゆる態様が可能である。
【００５１】
上述の各実施形態では、遮蔽材としてスクリーン２を有するロールスクリーン１００に本発明が適用された例が示された。しかし、本発明はロールスクリーンに限られず、例えばベネシャンブラインド、プリーツスクリーン、ローマンシェード等、支持部材によって遮蔽材が開閉可能に支持される他のブラインドにも同様に適用可能であり、ガイドレールの有無は問わない。
【符号の説明】
【００５２】
１………支持部材
２………スクリーン
３………巻取パイプ
４………操作ユニット
５………ボトムレール
１１……支持部材本体
１１ａ…取付面
１１ｂ…係止部
１２……カバー
１３……ブラケット
１４……隙間防止材
２１……第１連結部
２２……第２連結部
１００…ロールスクリーン
Ｃ………天井面
Ｗ………壁面
Ｆ………床面
【図１】
2018123515.tif 000003
【図２】
2018123515.tif 000004
【図３】
2018123515.tif 000005
【図４】
2018123515.tif 000006
【図５】
2018123515.tif 000007
【図６】
2018123515.tif 000008
【図７】
2018123515.tif 000009